(57)【要約】【課題】  本発明は、ピストンリングの径に対するマガジンの外径調節を迅速に行うことができるピストンリング組付け用マガジン装置を提供することを課題とする。【解決手段】  第３マガジン装置１２２は、ピストン１１を保持するカップ２９５と、このカップ２９５を保持する脚状のベース部材２０２と、両端の端部材２０３，２０４にスライド可能に嵌めたガイドバー２０５と、ガイドバー２０５に取付けた外径設定バー２０７と、端部材２０３，２０４スライド可能に嵌合した中央ロッド２１４と、中央ロッド２１４に固定した錐体状の拡径カム部材２１５，２１５と、拡径カム部材２１５に当接したレバ２１８と、原点復帰スプリング２１９と、引張りばね部材２２３と、掛止部材２２８および止め部材２３１と、を備える。【選択図】      図４
2006043829.tif 000002
【特許請求の範囲】
【請求項１】
ピストンの上段の溝に第１のリングを組付け、中段の溝に第２のリングを組付け、下段の溝に第１サイドリング、第２サイドリングを組付けるときに用いる装置であって、予め供給された何れかのリングを保持するとともに、ピストンの頭部を嵌め、且つ、リングの内径に対応させて外径を調整することが可能なマガジン装置において、
前記マガジン装置は、前記ピストンを保持するカップと、
このカップを保持する脚状のベース部材と、
ベース部材の両端の端部材にそれぞれピストンの径方向にスライド可能に嵌めたガイドバーと、
ガイドバーに両端側を取付けた外径設定バーと、
端部材の中央に軸線方向にスライド可能に嵌合するとともに、カップの基準部に当接する押し端面を有する中央ロッドと、
中央ロッドに固定するとともに異なる距離を連ねて形成した錐体状の拡径カム部材と、  拡径カム部材に一端を当接するとともに他端を外径設定バーに固定したレバと、
前記中央ロッドをカップ側に押す原点復帰スプリングと、
前記中央ロッド側に一端を掛止し、他端を外径設定バーに掛止して外径設定バーを径方向の内方に引く引張りばね部材と、を備えたことを特徴とするピストンリング組付け用マガジン装置。
【請求項２】
前記端部材のうちカップ側は、カップに形成した連結部の各凹部に掛る掛止部材および止め部材と、を備えたことを特徴とする請求項１記載のピストンリング組付け用マガジン装置。
【請求項３】
前記カップは、前記ピストンリングを供給する際に外しておける様に、端部材に着脱可能にしたことを特徴とする請求項１記載のピストンリング組付け用マガジン装置。
【発明の詳細な説明】
【技術分野】
【０００１】
本発明は、ピストンの溝に組付けるサイドリングなどのリングを積層した状態で保持するとともに、積層した状態のサイドリングから１個のサイドリングを離してピストンの溝に組付けるピストンリング組付け用マガジン装置に関するものである。
【背景技術】
【０００２】
ピストンリングを多数重ねて保持するとともに、ピストンリングの内径が異なる場合には、ピストンリングの内径に対応させて外径を自在に調整する装置が知られている（例えば、特許文献１参照。）。
【０００３】
【特許文献１】特許第３４２６９０８号公報（第９頁、図４）
【０００４】
特許文献１を次図に基づいて説明する。
図１７は、従来の技術の基本構成を説明する図であり、従来の「ピストンリング供給装置」は、マガジン４０１の縦長のマガジンセグメント４０２，４０２同士で形成する外径を調整することができる。調節を簡単に説明すると、調節軸４０３の工具掛け部４０４に工具を嵌め、工具で調節軸４０３を回転させると、ナット４０５・・・（・・・は複数を示す。以下同様。）および調節アーム４０６・・・を介して４本のマガジンセグメント４０２・・・は外方に変位し、外径は大きくなる。逆に調節軸４０３を回転させると、４本のマガジンセグメント４０２・・・は内方に変位し、外径は小さくなる。従って、径違いのマガジンを必要としない。
【０００５】
しかし、特許文献１のピストンリング供給装置では、ピストンリングの径に対応させてマガジン４０１の外径を調節するには、調節軸４０３を逐一手動で回転させることで調節しなければならず、手間がかかる。
また、その都度、測定具で外径を測定する必要があり、手間がかかる。
【発明の開示】
【発明が解決しようとする課題】
【０００６】
本発明は、ピストンリングの径に対するマガジンの外径調節を迅速に行うことができるピストンリング組付け用マガジン装置を提供することを課題とする。
【課題を解決するための手段】
【０００７】
請求項１に係る発明は、ピストンの上段の溝に第１のリングを組付け、中段の溝に第２のリングを組付け、下段の溝に第１サイドリング、第２サイドリングを組付けるときに用いる装置であって、予め供給された何れかのリングを保持するとともに、ピストンの頭部を嵌め、且つ、リングの内径に対応させて外径を調整することが可能なマガジン装置において、マガジン装置は、ピストンを保持するカップと、このカップを保持する脚状のベース部材と、ベース部材の両端の端部材にそれぞれピストンの径方向にスライド可能に嵌めたガイドバーと、ガイドバーに両端側を取付けた外径設定バーと、端部材の中央に軸線方向にスライド可能に嵌合するとともに、カップの基準部に当接する押し端面を有する中央ロッドと、中央ロッドに固定するとともに異なる距離を連ねて形成した錐体状の拡径カム部材と、拡径カム部材に一端を当接するとともに他端を外径設定バーに固定したレバと、中央ロッドをカップ側に押す原点復帰スプリングと、中央ロッド側に一端を掛止し、他端を外径設定バーに掛止して外径設定バーを径方向の内方に引く引張りばね部材と、端部材に取付けて、カップの一方に形成した連結部の各凹部に掛る掛止部材および止め部材と、を備えたことを特徴とする。
【０００８】
請求項２に係る発明では、端部材のうちカップ側は、カップに形成した連結部の各凹部に掛る掛止部材および止め部材と、を備えたことを特徴とする。
【０００９】
請求項３に係る発明では、カップは、ピストンリングを供給する際に外しておける様に、端部材に着脱可能にしたことを特徴とする。
【発明の効果】
【００１０】
請求項１に係る発明では、カップと、ベース部材と、ガイドバーと、中央ロッドと、拡径カム部材と、原点復帰スプリングと、引張りばね部材と、を備えたので、カップの基準部で中央ロッドを押し下げると、拡径カム部材は下がると同時に、拡径カム部材に一端を当接したレバを径外方にスライドさせるため、外径設定バーは径外方に動き、マガジン装置の外径は増加する。つまり、カップを取付けるだけで、自動的にマガジン装置の外径を調節することができる。従って、第１サイドリングなどのピストンリングの内径に対するマガジンの外径調節を迅速に行うことができる。
【００１１】
請求項２に係る発明では、端部材のうちカップ側は、カップに形成した連結部の各凹部に掛る掛止部材および止め部材と、を備えたので、カップを端部材に嵌めて回すと、凹部に掛止部材が掛ってカップを止め、凹部と掛止部材止とでカップの抜けを防止することができる。その際、別の凹部に止め部材の先端が入り、凹部を押付けることで、カップの逆回りを防ぐことができる。
また、逆に回すと、先端が凹部から外れるとともに、掛止部材が凹部から外れるため、カップを端部材から取り外すことができる。つまり、カップの着脱を瞬時に行うことができる。
【００１２】
請求項３に係る発明では、カップは、ピストンリングを供給する際に外しておける様に、端部材に着脱可能にしたので、第１サイドリングなどのピストンリングの内径より小さいマガジン装置に第１サイドリングなどのピストンリングを供給することができ、マガジン装置への第１サイドリングなどのピストンリングの供給は容易になるという利点がある。
【発明を実施するための最良の形態】
【００１３】
本発明を実施するための最良の形態を添付図に基づいて以下に説明する。なお、図面は符号の向きに見るものとする。
図１（ａ），（ｂ）は、本発明のピストンリング組付け用マガジン装置の対象となるピストンおよびピストンリングの説明図である。（ａ）はピストンおよびピストンリングの斜視図、（ｂ）はピストンリングを組付けたピストンの部分断面図である。
【００１４】
（ａ）において、ピストン１１は、外周面１２に形成した上段の溝であるリング溝１３と、中段の溝であるリング溝１４と、下段の溝であるリング溝１５と、ピストンピン孔１６と、頭部であるピストンヘッド１７と、ピストンスカート１８と、ピストンリング１９と、を備える。
【００１５】
ピストンリング１９は、上段のリング溝１３に組付ける第１のリングとしてのトップリング２１と、中段のリング溝１４に組付ける第２のリングとしてのセカンドリング２２と、下段のリング溝１５に組付ける第１サイドリング２３、オイルリング２４、第２サイドリング２５と、からなる。３１〜３５は各リング２１〜２５に形成した合い口を示す。
第１サイドリング２３と第２サイドリング２５は同じものである。Ｗａｒはオイルリング２４の組付け合い口幅で、オイルリング２４を組付ける際に拡げる合い口３４の幅である。
なお、合い口３１〜３５の位置を全て揃えて一致させたが、合い口３１〜３５の位置は任意である。
【００１６】
（ｂ）において、各リング２１〜２５の内径Ｄ１〜Ｄ５は、自由状態においてピストン１１の外径Ｄｐより小さい。
第１サイドリング２３の厚さｔ１は、トップリング２１やセカンドリング２２に比べて、薄く、ピストンリング組付け装置でピストン１１に組付ける際に、拡径すると弾性変形しやすい。
オイルリング２４の厚さｔ２は、第１サイドリング２３の厚さｔ１より薄く、ピストンリング組付け装置でピストン１１に組付ける際に、より弾性変形しやすい。
【００１７】
ピストン１１に各リング２１〜２５を組付けるピストンリング組付け装置について次に説明する。
図２は、本発明のピストンリング組付け用マガジン装置を備えるピストンリング組付け装置の正面図である。
ピストンリング組付け装置４１は、架台４２と、架台４２に取付け、図右のピストン１１の頭部（ピストンヘッド）１７を下（矢印ｚ１の方向）にしてピストン１１を搬入する搬入コンベア４３と、ピストン１１を位置決めする位置決め装置４５と、架台４２に順に取付けたオイルリング組付けステーション４６と、第１サイドリング組付けステーション４７と、第２サイドリング組付けステーション４８と、第２のリング組付けステーション５１と、第１のリング組付けステーション５２と、架台４２の上部に配置してピストン１１をＹ軸方向にピッチＰだけ送るピストン移載装置５３と、ピストンリングを組付けたピストン１１を搬出する搬出装置５４と、これらを予め設定した条件に基づいて制御する制御装置（図に示していない。）と、を備える。
【００１８】
オイルリング組付けステーション４６は、第１オイルリング組付けステーション４６ａを配置し、第１オイルリング組付けステーション４６ａの下流側の隣に第２オイルリング組付けステーション４６ｂを併設したもので、オイルリングを組付ける場合は、第１オイルリング組付けステーション４６ａか第２オイルリング組付けステーション４６ｂかの何れかでオイルリングを組付ける。
ピッチＰは、各ステーション４６ａ〜５２間のピッチでもある。
【００１９】
図右上の軸は、直線又は回転で動く方向を示す座標軸であり、Ｘ（図３参照）は水平な直線運動（図の表裏方向）を示す軸、ＹはＸに直交する軸、ＺはＸ，Ｙに直交する鉛直軸、ＣはＺ軸の周りの旋回運動を示す軸である。
【００２０】
位置決め装置４５は、搬入コンベア４３からピストン１１を持ち上げるピストン持ち上げ装置５５と、ピストン持ち上げ装置５５がＹ軸方向に運び、下降することで載せたピストン１１を更にＺ軸方向に上げる上昇手段５６と、上昇手段５６に載せてピストン１１をＣ軸方向に回転させ位置を決定するピストンＣ軸回転手段５７とからなる。５８は上昇手段５６の上昇位置を検出するピストン上昇検出手段を示す。
【００２１】
ピストン持ち上げ装置５５は、架台４２に第１Ｙ軸スライド機構６１（第１シリンダ６２を備える。）を取付け、第１Ｙ軸スライド機構６１に吊上げ機構６３を取付けたもので、ピストン１１を吊上げ機構６３の把持手段６４で矢印ｙ１の如く挟んだ後、吊上げ機構６３で矢印ｙ２の様に上昇し、引き続き、第１Ｙ軸スライド機構６１を矢印ｙ３の様にスライドさせ、把持手段６４はピストンＣ軸回転手段５７の回転台６６にピストン１１を載せ、第１Ｙ軸スライド機構６１で戻る。
【００２２】
ピストン１１をＹ軸方向にピッチＰだけ送るピストン移載装置５３を次に説明する。
ピストン移載装置５３は、架台４２の上部に第２Ｙ軸スライド機構６７（ボールねじ部６８、レール７１を備える。）を取付け、第２Ｙ軸スライド機構６７に第１ピストンＹ軸移載手段７４〜第６ピストンＹ軸移載手段７９、第７ピストンＹ軸移載手段８１をピッチＰだけ離して取付けたものである。
第２Ｙ軸スライド機構６７は、距離Ｌｐ（Ｌｐ＝Ｐ）だけ往復（矢印ｙ４の方向）する。
【００２３】
第１サイドリング組付けステーション４７は、マガジン交換装置８６を介して取付けた第１サイドリング用ツインマガジン装置９３と、第１サイドリング用ツインマガジン装置９３に積層した第１サイドリング２３（図１参照）を押出すリング押出し装置９１と、リング押出し装置９１の上方に配置したピストンクランプ装置９２と、第３ピストンＹ軸移載手段７６と、からなる。
【００２４】
第２サイドリング組付けステーション４８は、マガジン交換装置８６を介して取付けた第２サイドリング用ツインマガジン装置９４と、第２サイドリング用ツインマガジン装置９４に積層した第２サイドリング２５（図１参照）を押出すリング押出し装置９１と、リング押出し装置９１の上方に配置したピストンクランプ装置９２と、第４ピストンＹ軸移載手段７７と、からなる。
【００２５】
第２のリング組付けステーション５１は、マガジン交換装置８６を介して取付けた第２のリング用ツインマガジン装置９５と、第２のリング用ツインマガジン装置９５に積層した第２のリング（セカンドリング）２２（図１参照）を押出すリング押出し装置９１と、リング押出し装置９１の上方に配置したピストンクランプ装置９２と、第５ピストンＹ軸移載手段７８と、からなる。
【００２６】
第１のリング組付けステーション５２は、マガジン交換装置８６を介して取付けた第１のリング用ツインマガジン装置９６と、第１のリング用ツインマガジン装置９６に積層した第１のリング（トップリング）２１（図１参照）を押出すリング押出し装置９１と、リング押出し装置９１の上方に配置したピストンクランプ装置９２と、第６ピストンＹ軸移載手段７９と、からなる。
【００２７】
第１サイドリング組付けステーション４７の動作の概要を次に説明する。
図３は、本発明のピストンリング組付け用マガジン装置を備える第１サイドリング組付けステーションの概要動作説明図である。図２の３−３線断面に相当する。
第１サイドリング組付けステーション４７では、予め後退限位置１１１で第３・第４マガジン装置１２２，１２３に第１サイドリング２３・・・を嵌めつつ枚数Ｎｓを積層することで、供給を済ませる。
【００２８】
その次に、制御装置の「開始ボタン」を押すと、予め設定した条件に基づいてマガジン交換装置８６は前進限位置１１２まで移動（Ｘ軸方向）し、マガジン装置としての第３マガジン装置１２２に向けて第３ピストンＹ軸移載手段７６が移動（Ｙ軸方向）し、オイルリング２４付きのピストン１１を載せる。
【００２９】
続けて、ピストンクランプ装置９２がピストン１１をクランプするとともに、リング押出し装置９１が矢印ｚ２のように上昇を開始し、ピストン１１に第１サイドリング２３を組付ける。リング押出し装置９１がストロークＳｓだけ上昇して第３マガジン装置１２２に供給した第１サイドリング２３を全て組付け、無い状態になると、リング押出し装置９１は矢印ｚ３のように下降し、マガジン交換装置８６は、後退限位置１１１で旋回した後、前進限位置１１２まで前進する。
【００３０】
引き続き、稼働位置１１３に位置する第４マガジン装置１２３から同様に第１サイドリング２３を押出しながら組付ける。
第１サイドリング２３を組付け終えたピストン１１は第４ピストンＹ軸移載手段７７によって第２サイドリング組付けステーション４８（図２参照）へ移載される。
【００３１】
引き続き、残りの組付けステーション４８，５１，５２で残りのリング２５，２２，２１を第１サイドリング組付けステーション４７と同様に組付けると、１個目のピストンリングの組付けは完了する。連続して、２個目以降の組付けが続く。
【００３２】
図４は、本発明のピストンリング組付け用マガジン装置の断面図である。
第３マガジン装置１２２は、ピストン１１（図１参照）を保持するカップ２９５と、このカップ２９５を保持する脚状のベース部材２０２と、ベース部材２０２の両端の端部材２０３，２０４にそれぞれピストン１１の径方向（矢印ａ２，ａ２の方向）にスライド可能に嵌めたガイドバー２０５・・・と、ガイドバー２０５・・・に両端２０６，２０６側を取付けた外径設定バー２０７・・・と、端部材２０３，２０４の中央２０８，２０９に軸線２１１方向（Ｚ軸方向）にスライド可能に嵌合するとともに、カップ２９５の基準部３０３に当接する押し端面２１３を有する中央ロッド２１４と、を備える。
【００３３】
また、第３マガジン装置１２２は、中央ロッド２１４に固定するとともに異なる距離ｒ１，ｒ２，ｒ３を連ねて形成した錐体状の拡径カム部材２１５，２１５と、拡径カム部材２１５に一端２１６を当接するとともに他端２１７を外径設定バー２０７に固定したレバ２１８・・・と、中央ロッド２１４をカップ２９５側に押す原点復帰スプリング２１９と、中央ロッド２１４側に一端２２１を掛止し、他端２２２を外径設定バー２０７に掛止して外径設定バー２０７を径方向の内方（矢印ａ３，ａ３の方向）に引く引張りばね部材２２３・・・と、端部材２０４に取付けて、カップ２９５の一方２２４に形成した連結部２２５の各凹部２２６，２２７に掛る掛止部材２２８および止め部材２３１と、を備える。２３７は原点復帰スプリング２１９の端を支持するスプリング支持部材である。
「端部材のうちカップ側は」とは、上の端部材２０４である。
【００３４】
図５は、本発明のピストンリング組付け用マガジン装置の斜視図である。
第３マガジン装置１２２は、既に説明したように、マガジン嵌合台１７１（図１３参照）に下の端部材２０３をボルト１９４・・・で一体的に取付けることで、マガジン嵌合台１７１にベース部材２０２を固定し、両端の端部材２０３，２０４にガイドバー２０５・・・をそれぞれピストン１１の径方向（矢印ａ２，ａ２の方向）にスライド可能に嵌め、ガイドバー２０５・・・に外径設定バー２０７・・・の両端２０６，２０６側を取付け、端部材２０３，２０４に軸線方向（Ｚ軸方向）にスライド可能に中央ロッド２１４を嵌合した。
【００３５】
また、第３マガジン装置１２２は、中央ロッド２１４の押し端面２１３をカップ２９５の基準部３０３で、原点復帰スプリング２１９および引張りばね部材２２３・・・に抗して押し下げる（矢印ｚ７の方向）と、拡径カム部材２１５，２１５によってレバ２１８・・・が径外方（矢印ａ４・・・方向）にスライドするので、外径設定バー２０７・・・は径外方（矢印ａ４・・・方向）に動き、外径設定バー２０７，２０７間の距離Ｌｄで形成する第３マガジン装置１２２の外径Ｄｍｒ（Ｄｍｒ＝Ｌｄ）は増加する。
【００３６】
原点は、図５に示す状態であり、端部材２０４から中央ロッド２１４の押し端面２１３が距離Ｈｍだけ突出した位置であり、且つ、第３マガジン装置１２２の径が最小の径Ｄｎを形成する外径設定バー２０７・・・の位置である。外径Ｄｍｒは、Ｄｎから最大まで変化する。
【００３７】
また、第３マガジン装置１２２は、ベース部材２０２にサイドリング合い口ガイド部材３０１を結合部材２３９・・・で取付けたものである。サイドリング合い口ガイド部材３０１は、一方の先端にテーパガイド部３０２を形成した。
サイドリング合い口ガイド部材３０１の幅をＷｇｓに設定した。幅Ｗｇｓは、第１サイドリング２３（図１参照）が自由状態のときの合い口３３（図１参照）の幅Ｗ１とほぼ同じである。
【００３８】
カップ２９５、ピストン高さ調節手段２３２の取付けを簡単に説明する。
第１サイドリング２３（図１参照）を供給する場合は、カップ２９５を取付けない。
第１サイドリングを組付ける場合は、カップ２９５を取付けるとともに、カップ２９５内にピストン高さ調節手段２３２を置く（図４参照）。
【００３９】
カップ２９５、ピストン高さ調節手段２３２を具体的に図４を併用して説明する。
カップ２９５は、ピストンリング（トップリング２１、セカンドリング２２、第１・第２サイドリング２３，２５）を供給する際に外しておける様に、上の端部材２０４に着脱可能にした。
【００４０】
また、カップ２９５は、上の端部材２０４に着脱可能に連結するために形成した連結部２２５を備え、連結部２２５は、中央に基準凹部２５１を端部材２０４に嵌合するように形成し、この基準凹部２５１に連ねて４箇所に切り欠き部２５２・・・（図７参照）をそれぞれの外径設定バー２０７・・・に干渉しないように形成し、切り欠き部２５２，２５２に凹部２２６，２２６（図７参照）を掛止部材２２８に掛止可能に形成し、基準凹部２５１に凹部２２７（図７参照），２２７（図７参照）を止め部材２３１に掛止可能に形成した部位である。
なお、基準凹部２５１に連ねて基準部３０３を深さＨ１に形成した。
【００４１】
更に、カップ２９５は、他方２３３に形成したピストン嵌合部２３４を備え、ピストン嵌合部２３４は、ヘッドセット部２５３をピストン１１の外径Ｄｐより僅かに大きい内径で形成し、ヘッドセット部２５３に連ねて高さ調節手段セット部２５４をピストン高さ調節手段２３２に対応した深さで形成した部位である。
その上、カップ２９５は、前述したが、一方２２４に形成した連結部２２５の各凹部２２６，２２７（図７参照）に掛る掛止部材２２８および止め部材２３１と、を備える。３１５は逃がし溝を示す。
【００４２】
ピストン高さ調節手段２３２は、ピストンヘッド１７（図１参照）を直接載せるヘッド載せ部材２５５と、ヘッド載せ部材２５５の中央に取付けた調節部材２５６とからなる。ヘッド載せ部材２５５には、めねじ２５７および工具掛け孔２５８・・・を開けた。調節部材２５６は、めねじ２５７に対応したおねじ２６１を形成し、おねじ２６１に溝２６２を形成し、溝２６２の間を狭める回り止めねじ孔２６３を形成し、中央に工具掛け六角孔２６４を開け、ピストン１１（図１参照）の高さを位置決めする。
【００４３】
図６は、図４の６−６線断面図であり、供給ガイド部材２３５（図５参照）を省いて示す。
ピストン高さ調節手段２３２は、ヘッド載せ部材２５５の工具掛け孔２５８・・・に工具を掛け、調節部材２５６の工具掛け六角孔２６４に異なる工具を掛け、回すことで高さを調節する。
【００４４】
図７は、図４の７−７線断面図である。
上の端部材２０４は、中央に凹部２７２を彫り込み、掛止部材２２８，２２８および止め部材２３１，２３１を取付けた。
掛止部材２２８は円柱状のピンである。
止め部材２３１は先端に後退可能（矢印ｂ３の方向）なボールを備える。
第３マガジン装置１２２では、カップ２９５をボールの押し付けに抗して矢印ｃ２の方向に回すと、ボールが凹部２２７，２２７から外れるとともに、掛止部材２２８，２２８が凹部２２６，２２６から外れ、カップ２９５を上の端部材２０４から取り外すことができる。カップ２９５を取付ける場合は、矢印ｃ３の方向に回す。
【００４５】
図８は、図４の８−８線断面図である。
上の端部材２０４はまた、円柱状の上部材２７３（図４参照）にブロック２７４を一体的に取付け、ブロック２７４に固定バー２６６を４本取付けたものである。２７５は軸受けを示す。
【００４６】
図９は、図４の９−９線断面図である。
ガイドバー２０５は、端に凸部２７７を備え、凸部２７７を外径設定バー２０７に嵌め、凸部２７７を止めねじ２７８で固定することで、外径設定バー２０７の上の端２０６（図４参照）を支持する。
上の端部材２０４には、軸受け部２８１を介してガイドバー２０５をピストン１１の径方向（矢印ａ２・・・の方向）にスライド可能に嵌めた。
【００４７】
なお、ガイドバー２０５は、下の端部材２０３にも４本配置したもので、下の端部材２０３に取付ける構成は上の端部材２０４と同様であり、また、外径設定バー２０７の下の端２０６に取付ける構成は上の端２０６に取付ける構成と同様である。
【００４８】
図１０は、図４の１０−１０線断面図である。
引張りばね部材２２３は、外径設定バー２０７を径方向の内方（矢印ａ３・・・の方向）に引くことを目的とし、中央ロッド２１４側に掛止輪２８２を配置し、この掛止輪２８２に一端２２１を掛止し、他端２２２を外径設定バー２０７に掛止した。
【００４９】
図１１は、図４の１１−１１線断面図である。
レバ２１８は、一端にローラ２８３を取付け、ローラ２８３を介して拡径カム部材２１５に一端２１６を当接し、他端に凸部２８５を形成し、凸部２８５を外径設定バー２０７に嵌め、凸部２８５を止めねじ２８６で固定し、拡径カム部材２１５に倣って径外方（矢印ａ４・・・方向）若しくは径内方（矢印ａ３・・・の方向）に動く。
【００５０】
図１２は、図４の１２−１２線断面図である。
スプリング支持部材２３７は、原点復帰スプリング２１９（図４参照）の端２８７を支持するもので、中央にスプリング当接部２８８を設定し、中央にロッド通し孔２９１を中央ロッド２１４の径より大きい径で開け、両端にそれぞれ固定孔２９２，２９２を形成し、固定孔２９２，２９２を固定バー２６６，２６６に一体的に固定した。
【００５１】
ここで、図３のリング押出し装置９１のリング上昇機構１３３について説明する。
図１３は、本発明のピストンリング組付け用マガジン装置に用いたリング上昇機構を説明する図である。
【００５２】
リング上昇機構１３３は、マガジン装置に沿って直接ピストンリング１９（図１参照）を上昇させるもので、回転テーブル１５８に第３マガジン装置１２２などのマガジンを嵌合するマガジン嵌合台１７１を取付け、マガジン嵌合台１７１の両側に配置するとともに回転テーブル１５８にブロック１７２，１７２を取付け、ブロック１７２，１７２の上面に第２位置決めピン１７４，１７４を取付け、これらの上面に載るとともに第２位置決めピン１７４，１７４に嵌る昇降板部材１７５を形成し、この昇降板部材１７５にリング当接手段１７６・・・を４個取付けたものである。
【００５３】
リング当接手段１７６は、昇降板部材１７５に径調節スライド部材１７８を取付け、径調節スライド部材１７８に支持板１８１を取付け、支持板１８１と径調節スライド部材１７８との間に圧縮ばね１８２を、支持板１８１が径の内方（矢印ａ１の方向）に復帰するように配置し、支持板１８１の先端に分割円環１８４を取付けたもので、圧縮ばね１８２並びに径調節スライド部材１７８によって分割円環１８４を第３マガジン装置１２２などのマガジンの外径に対して自動的に対応させる。
また、リング当接手段１７６は、二点鎖線で示す稼働位置１１３の位置でリフト二股部材１３２によって昇降板部材１７５を介して昇降することで、４個の分割円環１８４・・・を昇降する。
【００５４】
以上に述べたピストンリング組付け用マガジン装置の作用を次に説明する。
図１４は、本発明のピストンリング組付け用マガジン装置の第１作用図である。
第３マガジン装置１２２は、カップ２９５（図１５参照）を外した状態では、原点復帰スプリング２１９の押し付け力Ｆ１によって中央ロッド２１４が距離Ｈｍだけ突出すると同時に、引張りばね部材２２３・・・の引張り力Ｆ２よって外径設定バー２０７・・・が径方向の内方に限度まで移動し、最小径Ｄｎである。最小径Ｄｎは、第１サイドリング２３の内径Ｄ３より小さく隙間δ１ができる値である。
【００５５】
このように、第３マガジン装置１２２では、カップ２９５（図１５参照）を外すと、最小径Ｄｎになるので、第３マガジン装置１２２と第１サイドリング２３との間に隙間δ１が発生し、第３マガジン装置１２２に第１サイドリング２３を矢印ｚ１０のように供給するのは容易である。
【００５６】
一方、リング上昇機構１３３のリング当接手段１７６は、圧縮ばね１８２の押し付け力Ｆ３によって４個の分割円環１８４・・・を常にそれぞれの外径設定バー２０７・・・に当接する。
【００５７】
図１５（ａ），（ｂ）は、本発明のピストンリング組付け用マガジン装置の第２作用図である。（ａ）はカップ２９５を取付ける前の状態を示し、（ｂ）はカップ２９５を取付けた状態を示す。
（ａ）において、外径設定バー２０７・・・に所定の枚数Ｎｓを積層した後、上の端部材２０４にカップ２９５の連結部２２５が備える基準凹部２５１を矢印ｚ１１のように嵌めると同時に、カップ２９５の基準部３０３で中央ロッド２１４の押し端面２１３を矢印ｚ１２のように、原点復帰スプリング２１９および引張りばね部材２２３・・・に抗して押し下げる。
【００５８】
（ｂ）において、カップ２９５の基準部３０３で中央ロッド２１４を距離Ｈｍだけ押し下げると、拡径カム部材２１５，２１５は距離Ｓｓ（Ｓｓ＝Ｈｍ）だけ下がると同時に、拡径カム部材２１５，２１５に一端（ローラ２８３）を当接したレバ２１８・・・を径外方に距離ｒ４（ｒ４＝ｒ１−ｒ３）だけスライドさせるので、外径設定バー２０７・・・は径外方に動き、第３マガジン装置１２２の外径はＤｎ（Ｄｎ＝Ｌｄ）から所定の外径Ｄｔ１に増加する。外径Ｄｔ１は、第１サイドリング２３の内径Ｄ３より僅かに小さい値である。
【００５９】
つまり、カップ２９５を取付けるだけで、自動的に第３マガジン装置１２２の外径を所定の外径Ｄｔ１に調節することができる。従って、第１サイドリング２３の内径Ｄ３に対する第３マガジン装置１２２の外径調節を迅速に行うことができる。
【００６０】
一方、リング当接手段１７６では、カップ２９５を取付けた際の外径設定バー２０７・・・の押し付け力Ｆ４によって外径設定バー２０７・・・に当接させた状態で４個の分割円環１８４・・・を圧縮ばね１８２に抗して径外方に移動させる。
つまり、カップ２９５を取付けるだけで、第１サイドリング２３を直接押す分割円環１８４・・・の径を自動的に調節することができ、分割円環１８４・・・の径の調節を迅速に行うことができる。
【００６１】
カップ２９５は、第１サイドリング２３を供給する際に外しておける様に、端部材２０４に着脱可能にしたので、外した状態で、第１サイドリング２３の内径より小さい外径の第３マガジン装置１２２に第１サイドリング２３を供給し、供給した後、カップ２９５を装着すると、自動的に第３マガジン装置１２２の外径は定まる。従って、第３マガジン装置１２への第１サイドリング２３の供給は容易になるとともに、第３マガジン装置１２２の外径の調節を迅速に行うことができる。
カップ２９５は、稼働位置１１３（図３参照）にて送られてくるピストン１１を他方２３３に形成したピストン嵌合部２３４によって支持する。
【００６２】
次に、第１サイドリング２３より径が小さい第１サイドリング２３Ｂを組付ける場合について説明する。
図１６は、本発明のピストンリング組付け用マガジン装置の第３作用図である。
第１サイドリング２３Ｂを組付ける場合は、カップ２９５Ｂを用いる。
カップ２９５Ｂは、基準部３０３を深さＨ２（Ｈ２＞Ｈ１）としたことを特徴とする。
カップ２９５Ｂの基準部３０３を深さＨ２（Ｈ２＞Ｈ１）に形成すると、中央ロッド２１４は距離Ｈｍ１（Ｈｍ１＜Ｈｍ）だけ下がるので、拡径カム部材２１５，２１５は距離Ｓ１（Ｓ１＝Ｈｍ１）だけ下がる。その結果、拡径カム部材２１５，２１５によってレバ２１８・・・は径外方に距離ｒ５（ｒ５＝ｒ２−ｒ３）だけスライドし、且つ、外径設定バー２０７・・・が形成する第３マガジン装置１２２の外径はＤｔ２（Ｄｔ１＞Ｄｔ２＞Ｄｎ）となる。
【００６３】
つまり、カップ２９５Ｂを取付けるだけで、自動的に第３マガジン装置１２２の外径をＤｔ２に調整することができる。従って、第１サイドリング２３Ｂの内径Ｄ３Ｂに対する第３マガジン装置１２２の外径調節を迅速に行うことができる。
【００６４】
第４マガジン装置１２３は、第３マガジン装置１２２と同じ作用および効果を発揮するものである。
【産業上の利用可能性】
【００６５】
本発明のピストンリング組付け用マガジン装置は、ピストンリングの組付けに好適である。
【図面の簡単な説明】
【００６６】
【図１】本発明のピストンリング組付け用マガジン装置の対象となるピストンおよびピストンリングの説明図
【図２】本発明のピストンリング組付け用マガジン装置を備えるピストンリング組付け装置の正面図
【図３】本発明のピストンリング組付け用マガジン装置を備える第１サイドリング組付けステーションの概要動作説明図
【図４】本発明のピストンリング組付け用マガジン装置の断面図
【図５】本発明のピストンリング組付け用マガジン装置の斜視図
【図６】図４の６−６線断面図
【図７】図４の７−７線断面図
【図８】図４の８−８線断面図
【図９】図４の９−９線断面図
【図１０】図４の１０−１０線断面図
【図１１】図４の１１−１１線断面図
【図１２】図４の１２−１２線断面図
【図１３】本発明のピストンリング組付け用マガジン装置に用いたリング上昇機構を説明する図
【図１４】本発明のピストンリング組付け用マガジン装置の第１作用図
【図１５】本発明のピストンリング組付け用マガジン装置の第２作用図
【図１６】本発明のピストンリング組付け用マガジン装置の第３作用図
【図１７】従来の技術の基本構成を説明する図
【符号の説明】
【００６７】
１１…ピストン、１２２…マガジン装置（第３マガジン装置）、２０２…ベース部材、２０３，２０４…端部材、２０５…ガイドバー、２０６…ガイドバーの端、２０７…外径設定バー、２０８，２０９…端部材の中央、２１１…軸線、２１２…基準部、２１３…押し端面、２１４…中央ロッド、２１５…拡径カム部材、２１６…レバの一端、２１７…レバの他端、２１８…レバ、２１９…原点復帰スプリング、２２１…引張りばね部材の一端、２２２…引張りばね部材の他端、２２３…引張りばね部材、２２４…カップの一方、２２５…連結部、２２６，２２７…凹部、２２８…掛止部材、２３１…止め部材、２９５…カップ、Ｄｃ…一定に設定した外径、Ｄ４…オイルリングの内径、ｒ１，ｒ２，ｒ３…異なる距離。
【図１】
2006043829.tif 000003
【図２】
2006043829.tif 000004
【図３】
2006043829.tif 000005
【図４】
2006043829.tif 000006
【図５】
2006043829.tif 000007
【図６】
2006043829.tif 000008
【図７】
2006043829.tif 000009
【図８】
2006043829.tif 000010
【図９】
2006043829.tif 000011
【図１０】
2006043829.tif 000012
【図１１】
2006043829.tif 000013
【図１２】
2006043829.tif 000014
【図１３】
2006043829.tif 000015
【図１４】
2006043829.tif 000016
【図１５】
2006043829.tif 000017
【図１６】
2006043829.tif 000018
【図１７】
2006043829.tif 000019